(57)【要約】【課題】縦横に配設した棒状の骨格材からなる壁面を有さない起立した構築体に、簡単にホワイトボードや磁気ボード等のボード類を取付けられる取付構造を提案する。【解決手段】断面形状がコ字型で、コ字を構成する上下の側片部の長手方向の両端部を切り欠いて切欠部を形成した支持部材を設ける。前記両側片部を前記２つの骨格材間に挿入し、コ字を構成する側片部を除いた背面片部の長手方向の両端を前記２つの骨格材に各々当接させて固定する。離間した位置に前記支持部材に平行にもう１つの支持部材を同様にして骨格材に固定し、各々の支持部材の背面片部に固定した補助部材の長手方向の両端部に設けたボードの枠材を保持するための保持金具に、ボードを着脱自在に取付けたことを特徴とする、ボードの取付構造。【選択図】図１
2006334962.tif 000002
【特許請求の範囲】
【請求項１】
ホワイトボードや磁気ボード等のボードを、壁面を有さない横列又は縦列した２つの起立した棒状の骨格材に固定するボードの取付構造であって、
断面形状がコ字型で、コ字を構成する上下の側片部の長手方向の両端部を切り欠いて切欠部を形成した支持部材を、前記両側片部を前記２つの骨格材間に挿入し、コ字を構成する側片部を除いた背面片部の長手方向の両端を前記２つの骨格材に各々当接させて固定し、離間した位置に前記支持部材に平行にもう１つの支持部材を同様にして骨格材に固定し、
各々の支持部材の背面片部に固定した補助部材の長手方向の両端部に設けたボードの枠材を保持するための保持金具に、ボードを着脱自在に取付けたことを特徴とする、ボードの取付構造。
【請求項２】
ホワイトボードや磁気ボード等のボードを、壁面を有さない横列又は縦列した２つの起立した棒状の骨格材に固定するボードの取付構造であって、
断面形状がＬ字型で、Ｌ字を構成する一方の側片部の長手方向の両端部を切り欠いて切欠部を形成した支持部材を、前記一方の側片部を前記２つの骨格材間に挿入し、他方の側片部の長手方向の両端部を前記２つの骨格材に各々当接させて固定し、離間した位置に前記支持部材に平行にもう１つの支持部材を同様にして骨格材に固定し、
各々の支持部材の他方の側片部に固定した補助部材の長手方向の両端部に設けたボードの枠材を保持するための保持金具に、ボードを着脱自在に取付けたことを特徴とする、ボードの取付構造。
【請求項３】
前記支持部材を、該支持部材の前記背面片部又は他方の側片部の両端部に係止孔を設けて、該係止孔にバンド部材を通して骨格材と結束することで固定したことを特徴とする、請求項１又は２に記載のボードの取付構造。
【請求項４】
前記係止孔を、支持部材の長手方向に沿って複数設けたことを特徴とする、請求項１ないし３の何れか１項に記載のボードの取付構造。
【請求項５】
前記骨格材、支持部材、補助部材およびボードの縁辺部を、軟質材で形成されたプロテクターで被覆したことを特徴とする、請求項１ないし４のいずれか１項に記載のボードの取付構造。
【発明の詳細な説明】
【技術分野】
【０００１】
本発明は、黒板、ホワイトボード、掲示板や磁気ボード等のボードを、壁面を有さない横列又は縦列した２つの起立した棒状の骨格材に固定するボードの取付構造に関する。
【背景技術】
【０００２】
ホワイトボードや磁気ボード等のボード類は、大きなサイズの場合には立てた状態で使用される。そのために壁面等に取付けたり、スタンド等に固定して使用している。従来より、ボードを簡単に壁面へ取付けられるようにと種々の取付構造に関し提案されており、本出願人も、特開２００２−３２６４９７号公報により「筆記パネルの壁面取付構造」について提案している。
【０００３】
また従来、百貨店や大手量販店等において、自由に幼児や子供達を遊ばせるキッズコーナー等と呼ばれるスペースが設けられているが、最近、そのスペースで、自由に絵や落書きができるようにと、大きなサイズのホワイトボードや磁気ボード等のボード類を設置する要望がある。しかし、こうしたボードは壁面に対して取付けるもので、壁面がないと設置できない。また、ボードをスタンドに取付けて設置すると、子供達がスタンドを動かしたりなどしておもちゃ代わりにして遊んで、倒れたりして子供達に怪我を負わせてはいけないというお店側の配慮から、キッズコーナーにおいてのスタンドを用いての設置は敬遠されていた。したがって、前記のようなボードを取付け可能なスペースを有した壁面がないキッズコーナーでは、前記のようなボードが設置されていないのが実情であった。
【特許文献１】特開２００２−３２６４９７号公報
【発明の開示】
【発明が解決しようとする課題】
【０００４】
最近、キッズコーナーを他のスペースと区画したりするための防護柵として、またはスペース内に遊戯具を設置するための構築体として、縦横に配設した棒状の骨格材からなる壁面を有さない起立した構築体が施されている。
【０００５】
本発明者は、前記構築体に着目し、この構築体にボードを簡単に取付けできないかを検討した。本発明の解決しようとする課題は、壁面を有さない横列又は縦列した２つの起立した棒状の骨格材に、簡単にホワイトボードや磁気ボード等のボード類を取付けられるボードの取付構造を提案するものである。
【課題を解決するための手段】
【０００６】
本発明は、
「１．ホワイトボードや磁気ボード等のボードを、壁面を有さない横列又は縦列した２つの起立した棒状の骨格材に固定するボードの取付構造であって、断面形状がコ字型で、コ字を構成する上下の側片部の長手方向の両端部を切り欠いて切欠部を形成した支持部材を、前記両側片部を前記２つの骨格材間に挿入し、コ字を構成する側片部を除いた背面片部の長手方向の両端を前記２つの骨格材に各々当接させて固定し、離間した位置に前記支持部材に平行にもう１つの支持部材を同様にして骨格材に固定し、各々の支持部材の背面片部に固定した補助部材の長手方向の両端部に設けたボードの枠材を保持するための保持金具に、ボードを着脱自在に取付けたことを特徴とする、ボードの取付構造。
２．ホワイトボードや磁気ボード等のボードを、壁面を有さない横列又は縦列した２つの起立した棒状の骨格材に固定するボードの取付構造であって、断面形状がＬ字型で、Ｌ字を構成する一方の側片部の長手方向の両端部を切り欠いて切欠部を形成した支持部材を、前記一方の側片部を前記２つの骨格材間に挿入し、他方の側片部の長手方向の両端部を前記２つの骨格材に各々当接させて固定し、離間した位置に前記支持部材に平行にもう１つの支持部材を同様にして骨格材に固定し、各々の支持部材の他方の側片部に固定した補助部材の長手方向の両端部に設けたボードの枠材を保持するための保持金具に、ボードを着脱自在に取付けたことを特徴とする、ボードの取付構造。
３．前記支持部材を、該支持部材の前記背面片部又は他方の側片部の両端部に係止孔を設けて、該係止孔にバンド部材を通して骨格材と結束することで固定したことを特徴とする、前記１項又は２項に記載のボードの取付構造。
４．前記係止孔を、支持部材の長手方向に沿って複数設けたことを特徴とする、前記１項ないし３項の何れか１項に記載のボードの取付構造。
５．前記骨格材、支持部材、補助部材およびボードの縁辺部を、軟質材で形成されたプロテクターで被覆したことを特徴とする、前記１項ないし４項のいずれか１項に記載のボードの取付構造。」
である。
【０００７】
本発明では、支持部材として単なる平板状の支持部材ではなく、開いた断面形状がコ字型で、コ字を構成する上下の側片部の長手方向の両端部を切り欠いて切欠部を形成した支持部材、又は断面形状がＬ字型で、Ｌ字を構成する一方の側片部の長手方向の両端部を切り欠いて切欠部を形成した支持部材を用いるが、その理由は、支持部材の一部である側片部を２つの骨格材間に挿入し、切欠部の一方の端部を一方の骨格材に当接することで、支持部材を骨格材に固定する際の支えとなり固定しやすいという利点や、２つの骨格材間の方向への移動を規制することができる、移動による固定の緩みを押さえられると言う点からである。
【発明の効果】
【０００８】
本発明のボードの取付構造は、前記したような構造なので、壁面のない構築体でも縦横に配設した棒状の骨格材があれば簡単に取付けることができる。また、支持部材に係止孔を設け、該係止孔に市販されているバンド部材を通して骨格材と支持部材を結束すれば、簡単に支持部材を骨格材に固定でき、支持部材に固定するための複雑な加工を必要としないですむ。またさらに、支持部材に係止孔を複数設けることで、骨格材に結束するのに結束するのに最適な位置の係止孔を選択できるので、骨格材にしっかりと固定することができる。また、骨格材と支持部材をバンド部材で結束する際に、実際の施行における骨格材の外径や骨格材間の距離が当初の予定していた寸法より若干相違していても、適切な位置の係止孔を選択することでしっかりと固定することができるとともに、支持部材に余計な加工を施さないですむという利点がある。
【０００９】
また、ボードは骨格材に固定するので、ボードに衝撃を与えてもボードが転倒したり骨格材から外れたりすることがく、そのことが原因による幼児や子供達の怪我を防止できる。さらに、前記骨格材、支持部材、補助部材およびボードの縁辺部を、軟質材で形成されたプロテクターで被覆することで、幼児や子供達が、ぶつかって怪我を負うことを防止することができ、安全の面でも良好である。
【発明を実施するための最良の形態】
【００１０】
本発明におけるボードの取付構造は、壁面を有さない横列又は縦列した２つの起立した棒状の骨格材に支持部材を固定し、該支持部材に、両端部にボードの枠材を保持するための保持金具を取付けた補助部材を固定し、ボードを前記保持金具により着脱自在に取付けるものである。前記保持金具は、壁面等に取付ける際に使用しているもので、新規な構造のものではない。
【実施例】
【００１１】
以下、本発明の実施例を図面を用いて説明する。なお、同じ部材、同じ箇所を示すものには同じ符号を付してある。
また、本実施例ではボードとして、基板間に、分散媒と増稠剤を主成分とする液体中に表裏が異なる色の微小磁石を含有してなる分散液体を封入し、微小磁石を反転することにより反転した微小磁石と反転しない微小磁石の色のコントラストの差で筆跡を形成する反転型の磁気表示パネルを備えた磁気ボードとして説明するが、本発明はこれに限定されるものではない。
【００１２】
本実施例は、磁気ボード１を、図２に示すような、縦横に配設したパイプ状の骨格材２、３からなる壁面を有さない起立した四角形状のスペースを区画する構築体４の任意の面の横方向に延びた上下の骨格材３ａ、３ｂに取付ける取付構造である。
【００１３】
先ず、取付け部材として、図３に示すような、前記上下の骨格材３ａ、３ｂの離間距離Ｌより長い長さを有する断面形状がコ字型の支持部材５を設け（図５参照）、コ字を構成する上下（図３において前後）の側片部６ａ、６ｂを切り欠いて切欠部７を形成する。残された前記側片部６ａ、６ｂの長さは、前記上下の骨格材３ａ、３ｂの離間距離Ｌより短い長さとしてあり、前記骨格材３ａ．３ｂ間に挿入可能としてある（図５参照）。コ字を構成する側辺部を除いた背面片部８の両端部には、支持部材５の長手方向に対して垂直状に延びた係止孔９を複数並列させて形成し、またその係止孔９の長手方向の内側に長手方向に沿って延びた長孔１０を形成する。この支持部材５を２つ設ける。
【００１４】
両端部に磁気ボード１を壁面等に固定するための保持金具である、特開２００２−３２６４９７号「筆記パネルの壁面取付」の公報に開示された上部金具１１と下部金具１２を磁気ボード１を装着可能に取付けた補助部材１３を２つ設ける（図では１つのみ）。各々の補助部材１３の両端部側の前記上部金具１１と下部金具１２の長手方向の内側の２箇所に２個づつ計４個の、前記各々の支持部材５の背面片部８に形成した長孔１０に対向する固定用孔１４を設けてある。
【００１５】
取付工程として、実際には、支持部材５を骨格材３ａ、３ｂに固定する際に、支持部材５の両端部が骨格材３ａ、３ｂから外方に突出しないように（図３において上下方向に骨格材３ａ、３ｂから突出しないように）、支持部材５の両端部を切断して長さ調整を行う。
【００１６】
後に、図５に示すように、一方の支持部材５を、該支持部材５の両方の側片部６ａ、６ｂを上下の骨格材３ａ、３ｂ間に挿入し、支持部材の下方の両方の側片部６ａ、６ｂの端部を骨格材３ｂに当接させ、前記支部部材５の背面片部８の長手方向の両端部を前記骨格材３ａ、３ｂに各々当接させて配設し、市販のホースバンド（バンド部材）１５により、該ホースバンド１５を前記背面片部８に設けた係止孔９の適切な位置の係止案９に各々通して結束し、前記上下の骨格材３ａ、３ｂに固定する。離間した磁気ボード１の幅寸法以内の距離の位置に、他方の支持部材５を前記一方の支持部材５に平行に同様にして前記上下の骨格材３ａ、３ｂに固定する。
【００１７】
次に、両端部に上部金具１１と下部金具１２を取付けた補助部材１３を、上部金具１１を下側にした状態（磁気ボードを取付ける際の幅調整するためのねじの調整部材１６が下側だと、前記骨格材３ｂと床面との隙間が狭く操作しにくいためで、特に下側でなければならないと言うことはなく、上側でも問題はない。）で、支持部材５の背面片部８に当接し、補助部材１３に設けた固定用孔１４を支持部材５の長孔１０に対向させて、前記固定用孔１４と長孔１０に皿ねじ（図示せず）を挿入して両者を締め付けて固定する。図示していないが、他方の支持部材５の背面片部８に、同様にして補助部材１３を固定する。補助部材１３を支持部材５に固定するための固定用孔１４に対向した長孔１０が、長手方向に延びているので、補助部材１３の各々の支持部材５に対する位置だしの調整が容易にできる。
【００１８】
最後に、前記支持部材５に固定した補助部材１３の各々の上部金具１１の爪１６と下部金具１２の爪１７を、磁気ボード１の枠材１８の係合溝（図示せず）に係合して取付ける。
【００１９】
図６に示すように、前記骨格材３ａ、３ｂ、支持部材５や補助部材１３が外方に露出しないように、軟質材で形成されたプロテクターＡで被覆し、バンド部材Ｃで固定してある。磁気ボード１の縁部に対しては、プロテクターＢで被覆してあり、子供達が前記前記骨格材３ａ、３ｂ、支持部材５ａ、５ｂ、補助部材１２ａ、１２ｂや磁気ボード１の縁部等にぶつかって怪我をしないようにしてある。
【００２０】
前記実施例においては、支持部材として断面形状がコ字型の支持部材５を用いたが、図４に示すような、断面形状がＬ字型の支持部材２０を用いても良い。Ｌ字を構成する一方の側片部２１の両端部を切り欠いて切欠部２２を形成し、一方の側片部２１の長さは前記上下の骨格材３ａ、３ｂの離間距離Ｌより短い長さとしてあり、前記骨格材３ａ．３ｂ間に挿入可能としてある。Ｌ字を構成する他方の側片部２３には、前記支持部材５と同様に係止孔２４と長孔２５を形成する。
【００２１】
この支持部材２０を用いる場合は、前記支持部材５と同様に２つ設け、一方の側片部２１を２つの骨格材３ａ、３ｂ間に挿入し、後は、前記実施例と同様にして、２つの骨格材３ａ、３ｂに支持部材２０の他方の側片部２３の両端部を当接して固定し、支持部材２０に補助部材１３を順次固定し、補助部材１３の上部金具１１と下部金具１２に磁気ボード１を取付ければ良い。
【産業上の利用可能性】
【００２２】
本発明のボードの取付構造は、ボードを縦列又は横列した棒状の骨格材に取付けるので、壁面がなくとも取付けることができ、壁面を有さない室外の空間の任意の場所で使用することができ、そのボードの使用可能な場所が増える。また、ボードとして室内で使用する黒板、ホワイトボードや磁気ボード等の主に室内で使用するボードのみならず、室外で使用する掲示板等にも利用することができ、ボードの種類を特定しない。
【図面の簡単な説明】
【００２３】
【図１】本実施例のボードの取付構造を示す、正面図である。
【図２】縦横に配設した骨格材からなる、壁面を有さない構築体を示す斜視図である。
【図３】本実施例のボードの取付構造における支持部材を示す斜視図である。
【図４】支持部材の変形例を示す、斜視図である。
【図５】本実施例のボードの取付構造の取付け工程を示す、斜視図である。
【図６】ボードを取付け、プロテクターで各部材を被覆した状態を示す正面図である。
【符号の説明】
【００２４】
１  磁気ボード
２  骨格材
３ａ、３ｂ  骨格材
５、２０  支持部材
６  側片部
７、２２  切欠部
８  背面片部
９、２４  係止孔
１１  上部金具
１２  下部金具
１３  補助部材
１５  ホースバンド
１９枠材
２１  一方の側片部
２３  他方の側片部
Ａ、Ｂ  プロテクター
Ｃ  バンド部材
【図１】
2006334962.tif 000003
【図２】
2006334962.tif 000004
【図３】
2006334962.tif 000005
【図４】
2006334962.tif 000006
【図５】
2006334962.tif 000007
【図６】
2006334962.tif 000008